(57)【要約】【課題】記録テープの巻き乱れやテープ巻回体の傾動を規制でき、さらに、テープ厚みが薄い場合にもテープエッジに損傷を与えることなく記録テープを整然と巻き取ることができるテープカートリッジを提供する。【解決手段】本体ケース１の内部左右にテープ巻回体２を配置し、本体ケース１の上下壁の内面とテープ巻回体２との間に規制シート１５を配置する。本体ケース１の上壁内面と規制シート１５との間に、低反発性の規制体１６を配置する。規制体１６は、テープ巻回体２に巻装されたテープ巻層Ｒのうち、テープ巻回体２より後側の後半領域Ｚに臨んで配置する。規制体１６は、発泡ゴム材を素材とする成形品で形成し、本体ケース１の上壁内面に固定する。【選択図】図１
2008159237.tif 000002
【特許請求の範囲】
【請求項１】
本体ケースの内部左右に記録テープを巻き取るためのハブ構造のテープ巻回体が配置されており、前記本体ケースの上下壁の内面と前記テープ巻回体との間に規制シートが配置してあるテープカートリッジであって、
前記本体ケースの上壁内面と前記規制シートとの間に、低反発性の規制体が配置されており、
前記規制体が、前記テープ巻回体に巻装されたテープ巻層のうち、前記テープ巻回体の中心を通る仮想中心線より後側の後半領域に臨んで配置してあるテープカートリッジ。
【請求項２】
前記規制体が、ゴム材ないしプラスチック材を素材とする成形品で形成されて、前記本体ケースの上壁内面に固定してある請求項１記載のテープカートリッジ。
【請求項３】
前記規制体が、複数個の低反発性のばねで構成されており、
複数個の前記規制体が、前記テープ巻層の後半領域に臨んで分散配置され、それぞれ前記本体ケースの上壁内面に固定してある請求項１記載のテープカートリッジ。
【請求項４】
前記規制体が、前記規制シートと一体に折り曲げ形成した低反発性の弾性片で構成されており、
複数個の前記規制体が、前記テープ巻層の後半領域に臨んで分散配置され、前記規制体の規制端が前記本体ケースの上壁内面に接当してある請求項１記載のテープカートリッジ。
【請求項５】
前記規制体が横長棒状に形成されて、前記テープ巻層の後半領域を左右に横切る状態で配置してある請求項２記載のテープカートリッジ。
【発明の詳細な説明】
【技術分野】
【０００１】
本発明は、ハブ構造のテープ巻回体を備えているテープカートリッジに関する。
【背景技術】
【０００２】
テープ巻回体には、フランジを備えたリール構造のテープ巻回体と、フランジを備えていないハブ構造のテープ巻回体とがあり、後者巻回体を備えたテープカートリッジは、例えば特許文献１に公知である。この種のテープカートリッジは、フランジを備えたテープ巻回体に比べて、記録テープを巻き取る際にテープ巻層の断面が波型になるなど巻き乱れを生じやすい。このような記録テープの巻き乱れを防ぐために、本体ケースの上壁および下壁とテープ巻回体との間に、フリクションシートまたはスリップシートなどの規制シートを配置している。
【０００３】
本発明に関して、規制シートに弾性体を設けて規制シートをテープエッジに押し付け付勢することが特許文献２に公知である。そこでは、規制シートのシート面に本体ケースへ向かって膨出する直線リブ状の突条を前後平行に設け、突条がケース内面に接当するときの反力で、シート面をテープ巻回体およびテープエッジに弾性接当させて、記録テープの巻き乱れを防止している。
【０００４】
【特許文献１】特開平１１−２７３３０３号公報（段落番号００１１、図２）
【特許文献２】実公平１−２７１９１号公報（第４欄第６〜１９行、第３図）
【発明の開示】
【発明が解決しようとする課題】
【０００５】
特許文献１に見られるように、ハブ構造のテープ巻回体を備えたテープカートリッジにおいては、テープ巻層から飛び出るテープエッジを、自己保形性に優れた規制シートで受け止めて巻き乱れを防いでいるに過ぎない。そのため、記録テープをテープ巻回体で巻き取る際に、テープテンションの変動などによってテープ巻回体が傾くことがあり、こうした場合に規制シートがテープ巻回体やテープ巻層の周縁に押されて変位し、巻き乱れを確実に防止できない。このように巻き乱れた状態の記録テープは、次回使用時に上下に蛇行するなど走行姿勢が不安定になり、信号情報の読み書きミスの原因にもなりかねない。とくに、信号情報の記録密度が高いコンピュータ用の外部記録媒体として使用されるテープカートリッジにおいて、高度の信頼性を得ることが困難となる。
【０００６】
特許文献２のように、規制シートのシート面に直線リブ状の突条を前後平行に設けると、シート面をテープ巻回体およびテープエッジに弾性接当できるので、記録テープの巻き乱れをある程度は解消できる。しかし、規制シートおよび突条の弾性のみで規制シートを押さえ込むので、充分な押し込み効果が得られにくく、巻き乱れを確実に規制できない。また、記録テープを巻き取る際のテープ巻回体は、テープテンションを受けて前傾する傾向があるが、突条が左右のテープ巻回体の左外側方あるいは右外側方に位置するので、テープ巻層の前方傾動を規制することはできず、巻き乱れを効果的に規制できない。
【０００７】
また、上記のようにテープ巻回体が前傾すると、テープ巻層の一部がケース本体の上壁に接触して摩擦抵抗を受け、その分だけテープ巻回体の回転トルクが増大し、あるいはテープエッジが傷つくことがある。さらに、回転トルクが一定値を越えるような場合には、テープドライブが強制的に停止されて、以後の使用に支障を来たすおそれがある。
【０００８】
本体ケースの内面に、先の突条に相当する規制リブを一体に形成し、この規制リブで規制シートを受け止めると、記録テープの巻き乱れを規制しながらテープ巻回体の傾動を規制できるであろう。しかし、その場合にはせり上がったテープエッジを規制シートおよび規制リブで受け止めて、それ以上テープエッジが変位するのを強制的に阻止するので、とくに、記録容量を高めるためにベーステープの厚みが薄く設定してある記録テープにおいて、テープエッジが折れ曲がり変形し、あるいはテープエッジが早期に摩滅するなどの問題を生じるおそれがある。
【０００９】
本発明の目的は、記録テープの巻き乱れを解消しながらテープ巻回体の傾動を規制できるテープカートリッジを提供することにある。本発明の目的は、テープ厚みが薄い場合にもテープエッジに損傷を与えることなく記録テープを整然と巻き取ることができ、したがって、信号情報の記録密度が高く、しかも記録容量を高めるためにベーステープの厚みが薄く設定してあるコンピュータの外部記録媒体として好適なテープカートリッジを提供することにある。
【課題を解決するための手段】
【００１０】
本発明は、本体ケース１の内部左右に記録テープ３を巻き取るためのハブ構造のテープ巻回体２が配置してあって、本体ケース１の上下壁の内面とテープ巻回体２との間に規制シート１５が配置してあるテープカートリッジを適用対象として、本体ケース１の上壁内面と規制シート１５との間に、低反発性の規制体１６を配置する。規制体１６は、テープ巻回体２に巻装されたテープ巻層Ｒのうち、テープ巻回体２の中心を通る仮想中心線Ｐより後側の後半領域Ｚに臨んで配置する。
【００１１】
図１に示すように規制体１６は、ゴム材ないしプラスチック材を素材とする成形品で形成し、本体ケース１の上壁内面に固定する。
【００１２】
図６に示すように規制体１６は、複数個の低反発性のばねで構成できる。その場合には、複数個の規制体１６を、図５に示すようにテープ巻層Ｒの後半領域Ｚに臨んで分散配置し、それぞれの規制体１６を本体ケース１の上壁内面に固定する。
【００１３】
図７に示すように規制体１６は、規制シート１５と一体に折り曲げ形成した低反発性の弾性片で構成できる。その場合には、複数個の規制体１５を、テープ巻層Ｒの後半領域Ｚに臨んで分散配置し、規制体１６の規制端２５ａを本体ケース１の上壁内面に接当させる。
【００１４】
図３に示すように、規制体１６は横長棒状に形成して、テープ巻層Ｒの後半領域Ｚを左右に横切る状態で配置することができる。
【発明の効果】
【００１５】
本発明においては、本体ケース１の上壁内面と規制シート１５との間に低反発性の規制体１６を配置し、規制シート１５がテープ巻層Ｒや、テープ巻層Ｒから飛び出るテープエッジで押し上げられるとき、押し上げられたシート面を規制体１６で受け止めて、規制体１６の弾性力によってテープ巻層Ｒやテープエッジを押し戻すようにした。また、テープ巻回体２に巻装されたテープ巻層Ｒのうち、テープ巻回体２の中心を通る仮想中心線Ｐより後側の後半領域Ｚに臨んで規制体１６を配置して、テープテンションを受けてテープ巻層Ｒやテープ巻回体２が前傾しようとする力を規制体１６で吸収し、テープ巻層Ｒやテープ巻回体２がそれ以上前傾するのを阻止し、適正な巻回姿勢へ復帰できるようにした。
【００１６】
したがって、本発明のテープカートリッジによれば、記録テープ３がケース外へ繰り出され、あるいはテープ巻回体２に巻き込まれるときの記録テープ３の巻き乱れを解消し、同時にテープ巻回体２の傾動を規制でき、テープ厚みが薄い場合にもテープエッジに損傷を与えることなく記録テープ３を整然と巻き取ることができる。これにより、信号情報の記録密度が高く、しかも記録容量を高めるためにベーステープの厚みが薄く設定してあるコンピュータの外部記録媒体として好適なテープカートリッジが得られる。
【００１７】
また、規制シート１５と規制体１６とでテープ巻回体２の傾動を規制することにより、テープ巻層Ｒの一部がケース本体１の上壁に接触してテープ巻回体２の回転トルクが増大するのを一掃でき、回転トルクの増大に伴うテープドライブの緊急停止や故障などを一掃して、テープカートリッジの信頼性を向上できる。
【００１８】
ゴム材ないしプラスチック材を素材とする成形品で形成した規制体１６によれば、規制体１６の弾性力を面状に発揮できるので、規制シート１５に局部的な力が作用する場合にも、その力を吸収し、テープエッジやテープ巻層Ｒの上面を柔軟に押し戻して記録テープ３の巻き乱れを的確に防止でき、さらにテープエッジが損傷するのを良く防止できる。
【００１９】
低反発性のばねで構成した複数個の規制体１６を、テープ巻層Ｒの後半領域Ｚに臨んで分散配置するテープカートリッジによれば、テープ飛び出しを生じやすい特定の領域に集中的に規制体１６を配置でき、複数個の規制体１６の弾性力を必要に応じて大小に変更できる。
【００２０】
規制シート１５と一体に折り曲げ形成した低反発性の弾性片で規制体１６を構成し、複数個の規制体１５を、テープ巻層Ｒの後半領域Ｚに臨んで分散配置するテープカートリッジによれば、規制体１６の規制端２５ａを本体ケース１の上壁内面に接当させることにより、テープ巻層Ｒの上面に規制シート１５の後半部分を常時密着させることができるので、テープ巻層Ｒからテープエッジが飛び出すのを確実に防止できる。また、主に規制シート１５の後半部分のみをテープ巻層Ｒの上面に密着させ、規制シート１５の前半部分は自由状態のままとするので、テープ巻回体２に巻き込まれる記録テープ３が規制シート１５の後半部分に達するまでの間に、記録テープ３を規制シート１５で徐々に押さえ込み案内して的確に巻き込むことができる。
【００２１】
横長棒状に形成した規制体１６をテープ巻層Ｒの後半領域Ｚを左右に横切る状態で配置するテープカートリッジによれば、テープ巻回体２に対する記録テープ３の巻き込み量がある程度増加した状況において、記録テープ３を的確に押さえ込んで巻き乱れを防止できる。規制シート１５を横長棒状の規制体１６で帯状に押さえ込むので、規制シート１５が不必要にテープ巻層Ｒに接触するのを避けて、規制シート１５による摩擦抵抗を最小限化できる。
【発明を実施するための最良の形態】
【００２２】
（実施例）  図１ないし図４は本発明をＤＡＴ規格のテープカートリッジ、または同カートリッジをコンピュータ用の外部記録媒体として適用するＤＤＳ規格のテープカートリッジに適用した実施例を示す。図２および図３においてテープカートリッジは、本体ケース１の内部左右にハブ構造のテープ巻回体２・２が配置してあり、一方のテープ巻回体２に巻装された記録テープ（磁気テープまたは光テープ）３をケース外へ繰り出し、繰り出された記録テープ３を他方のテープ巻回体２で巻き取る間に情報信号を記録テープ３に記録し、あるいは記録テープ３に記録された情報信号を読み取るように構成してある。本体ケース１は、二分割された上ケース１ａおよび下ケース１ｂを蓋合わせ状に接合して構成する。
【００２３】
本体ケース１の前部には、記録テープ３をケース外へ引き出し操作するためのローディング用のポケット４が設けてあり、このポケット４の前部両側に設けたテープガイド５・５で、記録テープ３をローディング可能な状態に保持している。不使用時のテープ保護のために、ポケット４の下面側は前後スライド可能なシャッター６で塞さがれ、ポケット４の前面および上面は上下に揺動開閉可能な前蓋７で覆ってある。シャッター６および前蓋７は、それぞれ図示していないばねで閉じ勝手に移動付勢してあり、これら両者６・７は、テープドライブに対するテープカートリッジの装填動作を利用して、それぞれ開放される。上ケース１ａの内面には、透明のプラスチック材からなる窓板８が固定してある。
【００２４】
テープ巻回体２は、記録テープ３を巻き取るためのハブ２ａと、ハブ２ａより上下寸法が大きな駆動ボス２ｂとを一体に備えた二重筒状のプラスチック成形品からなり、駆動ボス２ｂの内面にテープドライブの駆動軸と嵌係合するスプライン穴状の駆動穴が設けてある。駆動ボス２ｂの上部周縁にはロックギヤ１０が形成してあり、このロックギヤ１０にハブロック体１１が係合することにより、不使用時のテープ巻回体２を回転不能にロック保持できる。ハブロック体１１は上ケース１ａおよび窓板８の内面に装着されて、先の前蓋７の開閉動作に連動して前後スライドできる。詳しくは、ハブロック体１１のロック爪１２がロックギヤ１０と係合するケース後方のロック姿勢（図３に示す状態）と、ロック爪１２がロックギヤ１０から分離する前方のロック解除姿勢とにスライド変位できる。
【００２５】
テープ巻回体２に巻き込まれるときの記録テープ３の巻き乱れを防ぎ、さらに、記録テープ３が繰り出しあるいは巻き込まれるときのテープ巻回体２の傾動を規制するために、本体ケース１の上壁および下壁の内面と、テープ巻回体２のハブ２ａの上端面および下端面との間に規制シート１５を配置し、さらに上壁内面と規制シート１５との間に、低反発性の規制体１６を配置している。
【００２６】
規制シート１５は、強靭で、滑り性および対摩耗性に優れたプラスチックシート、例えばポリブチレンテレフタレート製のシート材を眼鏡状に打ち抜いて形成してあり、図４に示すように、シート面の中央左右には駆動ボス２ｂに外嵌する逃げ穴１７が打ち抜き形成してある。図３に示すように、規制シート１５を構成する左右の優弧部分１５ａの直径寸法は、満巻き状態のテープ巻層Ｒの直径寸法より僅かに大きく設定してあり、左右の優弧部分１５ａは、本体ケース１の後壁と平行な直線辺部１５ｂで連続してある。
【００２７】
図４に示すように、規制体１６は、断面が四角形の左右に長い直線棒状の成形品からなり、発泡ゴム、発泡プラスチック、ゴムなどの低反発性の形成素材で形成する。規制体１６は、テープ巻回体２に巻装されたテープ巻層Ｒのうち、左右のテープ巻回体２の中心を通り、本体ケース１の後壁と平行な仮想中心線Ｐより後側の後半領域Ｚ（図３参照）に臨んで配置する。好ましくは、テープ巻回体２のハブ２ａの後周面より後方で、規制シート１５の直線辺部１５ｂの近傍において、左右の優弧部分１５ａを左右に横切る状態で配置する。図１に示すように、規制体１６は上ケース１ａの内面に固定した窓板８に接着固定してあり、その接着層を符号１９で示している。
【００２８】
上記のように、規制体１６を窓板８に固定した状態において、テープ巻層Ｒと規制体１６のシート受面２０との間には、僅かな隙間Ｅが確保されている。これは、テープ巻回体２が回転駆動されて、記録テープ３が繰り出し供給されるとき、あるいは記録テープ３が巻き取られるとき、規制体１６が規制シート１５に対して不必要に接触するのを避けながら、テープ巻装Ｒから飛び出ようとするテープエッジを規制シート１５を介して規制体１６で受け止めて、テープエッジの飛び出しを規制するためである。隙間Ｅは０．３ｍｍ前後か、それ以下の値に設定することが好ましいが、場合によっては、隙間Ｅの値をゼロとすることもある。
【００２９】
以上のように、規制シート１５とは別に規制体１６を設けると、規制シート１５の一部がテープエッジに押し上げられるとき、押し上げられた規制シート１５のシート面を規制体１６で受け止めて、テープ巻層Ｒ側へ押し戻すことができるので、テープ巻層Ｒにおいて記録テープ３が巻き乱れるのを確実に防止できる。また、規制体１６が低反発性の素材で形成してあるので、受けた力を吸収しながら自身も変形し、テープエッジを押し戻す反発力が急激に増加することはなく、柔軟に押し戻すので、テープエッジの飛び出しを規制体１６で防止することに伴って、テープエッジが折り曲げ変形され、あるいは強い摩擦抵抗を受けて短期に摩滅するのを解消できる。
【００３０】
定常値を越える衝撃的なテープテンションを受けるとき、テープ巻回体２およびテープ巻層Ｒは前傾しようとするが、テープ巻回体２が先に説明した隙間Ｅの相当量を越えて前傾すると、規制シート１５のシート面後部が規制体１６で受け止められる。つまり、テープ巻層Ｒの周縁の上方移動が、規制体１６で規制シート１５を介して規制される。この場合の規制体１６は、低反発性素材で形成してあるとはいえ、テープ巻回体２の前傾角度が増加するのに伴い、弾性変形量が増加して反発力が徐々に増加する。そのため、テープ巻回体２およびテープ巻層Ｒは、規制体１６の反発力によって前傾姿勢が矯正され、適正な姿勢変化範囲内に復帰保持された状態で回転駆動される。その結果、テープ巻層Ｒの断面が波型になるなどの巻き乱れを防止できる。
【００３１】
図５および図６は規制体１６の別の実施例を示す。そこでは、複数個の低反発性の圧縮コイルばねで規制体１６を構成し、複数個の規制体１６を、テープ巻層Ｒの後半領域Ｚに臨んで分散配置した。詳しくは、本体ケース１の左右の後隅部に臨む規制シート１５の優弧部分１５ａに、それぞれ２個の規制体１６を分散配置し、左右一対の優弧部分１５ａで挟まれる後部シート面に３個の規制体１６を分散配置した。図６に示すように、各規制体１６のコイル上端は、窓板８の内面に突設した装着突起２２に圧嵌装着して、コイル下端のシート受面２０が規制シート１５と対向するようにした。低反発性の圧縮コイルばねは、プラスチック材を素材にして形成でき、あるいは、線径が小さな金属線材を素材にして形成することができる。他は先の実施例と同じであるので、同じ部材に同じ符号を付してその説明を省略する。以下の実施例においても同様に扱う。
【００３２】
図７および図８は規制体１６のさらに別の実施例を示す。そこでは、規制シート１５と一体に折り曲げ形成した低反発性の弾性片で規制体１６を構成し、複数個の規制体１６を、テープ巻層Ｒの後半領域Ｚに臨んで分散配置した。詳しくは、本体ケース１の後壁に臨む規制シート１５の直線辺部１５ｂに、３個の規制体１６を均等間隔で分散配置し、本体ケース１の左右の後隅部に臨む優弧部分１５ａの周縁に規制体１６を１個ずつ配置した。各規制体１６は、規制シート１５のシート面に連続して折り曲げられる断面Ｖ字状の弾性部２４と、弾性部２４に連続して規制シート１５の周縁から内側へ向かって折り曲げられる接当部２５とを一体に備えており、接当部２５の規制端２５ａを窓板８に接当させて、規制シート１５をテープ巻層Ｒに押し付け付勢できるようにした。
【００３３】
図９は規制体１６を板ばねで形成した実施例を示す。具体的には、窓板８の後端下面から下向きに突設される基部２６と、基部２６の下端から規制シート１５の上面に沿って前向きに連出される弾性腕２７とで規制体１６を構成した。この場合の規制体１６は、左右の各テープ巻回体２ごとに、テープ巻回体２の中心を通る前後方向の中心線に沿って１個ずつ配置して、規制シート１５の周縁部分をテープ巻層Ｒに押し付け付勢できるようにした。
【００３４】
上記の実施例以外に、図１ないし図４で説明した規制体１６は、例えば、左右のテープ巻層Ｒの後半領域Ｚに対応して２個の部分円弧が連続する形状とすることができ、あるいはテープ巻層Ｒの後半領域Ｚに放射状に配置した複数個のリブ状体で規制体１６を構成することができる。規制体１６の形状や、複数個の規制体１６の配置パターンは、必要に応じて自由に変更することができる。図５および図７で説明した規制体１６の配置個数や、配置パターンも同様に自由に変更することができる。
【００３５】
図５および図６においては、低反発性の規制体１６を圧縮コイルばねで形成したが、その必要はなく皿ばねで低反発性の規制体１６を形成することができる。図９で説明した板ばね製の規制体１６は、本体ケース１の上ケース１ａと一体に形成することができ、必要があれば独立した部品で形成することができる。また、各ばねの形成素材としては、金属、プラスチックなどを自由に選定できる。空気などの圧縮性を備えた気体を内包する空気ばねで低反発性の規制体１６を形成してもよい。必要があれば、上記の各実施例で説明した規制体を組み合わせて規制体１６を構成することができ、例えば、複数個の圧縮コイルばねを構成要素とする規制体において、複数個のコイルばねの下端に、ゴム製の部分円弧状のシート受面２０を固定して規制体１６とすることができる。上記の各実施例では、各規制体１６を上ケース１ａの内面に、窓板８を介して間接的に固定したが、その必要はなく、上ケース１ａの内面に直接固定することができる。
【図面の簡単な説明】
【００３６】
【図１】テープカートリッジの縦断側面図である。
【図２】テープカートリッジの外観斜視図である。
【図３】テープカートリッジの横断平面図である。
【図４】規制シートとテープ巻回体の分解斜視図である。
【図５】規制体の別の実施例を示す平面図である。
【図６】図５に係る規制体の固定構造を示す断面図である。
【図７】規制体のさらに別の実施例を示す斜視図である。
【図８】図７に係る規制体の使用態様を示す断面図である。
【図９】規制体のさらに別の実施例を示す断面図である。
【符号の説明】
【００３７】
１  本体ケース
２  テープ巻回体
３  記録テープ
１５  規制シート
１６  規制体
【図１】
2008159237.tif 000003
【図２】
2008159237.tif 000004
【図３】
2008159237.tif 000005
【図４】
2008159237.tif 000006
【図５】
2008159237.tif 000007
【図６】
2008159237.tif 000008
【図７】
2008159237.tif 000009
【図８】
2008159237.tif 000010
【図９】
2008159237.tif 000011